(57)【要約】【課題】圧力損失を増加させず本体内部のコストの低減をすることを目的とする。【解決手段】制御回路ケース２２の内部にイオンを発生させる静電霧化手段２１ａ、２１ｂを設けグリル５の吹出し口４から室内へ吹き出すという構成にしたことにより、本体１内部の送風風路外の制御回路ケース２２内に静電霧化手段２１ａ、２１ｂを設置するので、圧力損失を増加させず本体１内部の難燃性部品を削減することができるイオン発生装置を得られる。【選択図】図８
2014175289.tif 000002
【特許請求の範囲】
【請求項１】
天井に円筒状で下方にフランジを有した本体を埋め込み、前記本体の天面には遠心ファンと前記遠心ファンを回転させるための電動機と前記電動機を保持する天板とを設け、前記本体の内部が送風風路として利用され、前記本体の下面に吸込口と吹出口を有するグリルを備え、前記グリルを介して室内の空気を本体の内部へ吸い込み遠心ファンにより前記グリルから前記室内へ吹き出し、制御基板を納める制御回路ケースを前記天板の上方に設置し、静電霧化手段によって発生したイオンが前記本体内部を通り前記吹出口から排出される空気に混流するイオン発生装置において、前記制御回路ケースの内部に静電霧化手段を設けたことを特徴とするイオン発生装置。
【請求項２】
静電霧化手段を複数個設けたことを特徴とする請求項１に記載のイオン発生装置。
【請求項３】
制御回路ケースを難燃性樹脂で構成したことを特徴とする請求項１または２に記載のイオン発生装置。
【請求項４】
本体の内部に送風風路と分離した筒状のガイドを設け、前記ガイドの一方の開口は制御回路ケースと嵌合させて前記制御回路ケースの内部の静電霧化手段と連通させ、前記ガイドのもう一方の開口はグリルの吹出口の近傍まで配設したことを特徴とする請求項１〜３のいずれかに記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、静電霧化手段によって発生したイオンを、ファンによって生じさせた空気の流れにのせて室内へ流出させるものが知られている。（例えば、特許文献１参照）。
【０００３】
以下、そのイオン発生装置について図１２を参照しながら説明する。
【０００４】
図１２に示すように、イオン発生装置は天井１０１に円筒状を有した本体１０２を埋め込み、本体１０２の下方にはフランジ１０３を有し、本体１０２の天面１０４に、ターボファン１０５を回転させるための電動機１０６を保持する天板１０７と電動機１０６を設け、天板１０７の下方に電動機１０６に接続するターボファン１０５を設けている。
【０００５】
また、本体１０２の下端に吸込み口１０８と吹出し口１０９を有するグリル１１０とを備え、本体１０２の内部に静電霧化手段１１１と静電霧化手段１１１を完全に覆う保護カバーを備え、保護カバーの下方にイオンを排出するイオン排出口を備えており、イオン排出口が吹出し口１０９の近傍に設けられている。
【０００６】
上記構成により、ターボファン１０５によって送風された空気がグリル１１０の吹出し口１０９から室内へ吹出す際に、イオン排出口から吹出したイオンが混ざり、イオンを室内へ供給することができる。
【先行技術文献】
【特許文献】
【０００７】
【特許文献１】特開２０１２−１２３９９６号公報
【発明の概要】
【発明が解決しようとする課題】
【０００８】
このような従来のイオン発生装置においては、本体の内部に静電霧化手段を設けることにより、送風風路を塞ぐことによる圧力損失の増加や難燃性部品で覆うことによるコストの増加という課題を有していた。
【０００９】
そこで本発明は、上記従来の課題を解決するものであり、圧力損失を増加させず、本体内部のコストの低減をすることができるイオン発生装置を提供することを目的とする。
【課題を解決するための手段】
【００１０】
そして、この目的を達成するために、本発明は、天井に円筒状で下方にフランジを有した本体を埋め込み、前記本体の天面には遠心ファンと前記遠心ファンを回転させるための電動機と前記電動機を保持する天板とを設け、前記本体の内部が送風風路として利用され、前記本体の下面に吸込口と吹出口を有するグリルを備え、前記グリルを介して室内の空気を本体の内部へ吸い込み遠心ファンにより前記グリルから前記室内へ吹き出し、制御基板を納める制御回路ケースを前記天板の上方に設置し、静電霧化手段によって発生したイオンが前記本体内部を通り前記吹出口から排出される空気に混流するイオン発生装置において、前記制御回路ケースの内部に静電霧化手段を設けたものであり、これにより所期の目的を達成するものである。
【発明の効果】
【００１１】
本発明によれば、天井に円筒状で下方にフランジを有した本体を埋め込み、前記本体の天面には遠心ファンと前記遠心ファンを回転させるための電動機と前記電動機を保持する天板とを設け、前記本体の内部が送風風路として利用され、前記本体の下面に吸込口と吹出口を有するグリルを備え、前記グリルを介して室内の空気を本体の内部へ吸い込み遠心ファンにより前記グリルから前記室内へ吹き出し、制御基板を納める制御回路ケースを前記天板の上方に設置し、静電霧化手段によって発生したイオンが前記本体内部を通り前記吹出口から排出される空気に混流するイオン発生装置において、前記制御回路ケースの内部に静電霧化手段を設けた構成にしたことにより、本体内部の送風風路外の制御回路ケース内に静電霧化手段を設置することになるので、圧力損失を増加させず本体内部の難燃性部品を削減することができるという効果を得ることができる。
【図面の簡単な説明】
【００１２】
【図１】本発明の実施の形態１のイオン発生装置を天井に取付けた状態の側面断面図
【図２】同イオン発生装置の取付金具の構成を示した拡大図
【図３】同イオン発生装置の平面図
【図４】同イオン発生装置を天井に取付けた状態の正面断面図
【図５】同イオン発生装置の制御回路を示した分解斜視図
【図６】同イオン発生装置の制御回路を下方から見た斜視図
【図７】同イオン発生装置の制御回路ケースの固定構造を示す分解斜視図
【図８】同イオン発生装置の図３のＡ−Ａ断面図
【図９】同イオン発生装置のオリフィスとスイッチの構成を示した斜視図
【図１０】同イオン発生装置の天井へ取付ける際の取付け状態を示す側面断面図
【図１１】同イオン発生装置の速結端子と電動機との関係を示す側面断面図
【図１２】従来のイオン発生装置の側面構成図
【発明を実施するための形態】
【００１３】
本発明の請求項１記載のイオン発生装置は、天井に円筒状で下方にフランジを有した本体を埋め込み、前記本体の天面には遠心ファンと前記遠心ファンを回転させるための電動機と前記電動機を保持する天板とを設け、前記本体の内部が送風風路として利用され、前記本体の下面に吸込口と吹出口を有するグリルを備え、前記グリルを介して室内の空気を本体の内部へ吸い込み遠心ファンにより前記グリルから前記室内へ吹き出し、制御基板を納める制御回路ケースを前記天板の上方に設置し、静電霧化手段によって発生したイオンが前記本体内部を通り前記吹出口から排出される空気に混流するイオン発生装置において、前記制御回路ケースの内部に静電霧化手段を設けた構成を有する。
【００１４】
これにより、本体内部の送風風路外の制御回路ケース内に静電霧化手段を設置することになるので、圧力損失を増加させず本体内部の難燃性部品を削減することができるという効果を奏する。
【００１５】
また、静電霧化手段を複数個設けた構成にしてもよい。
【００１６】
これにより、イオンの発生量が増加することとなるので、イオンの濃度を高めることができる、という効果を奏する。
【００１７】
また、制御回路ケースを難燃性樹脂で構成した構成にしてもよい。
【００１８】
これにより、制御回路ケースの延焼を難燃性樹脂で防ぐこととなるので、ケースの延焼を防ぐことにより合理的な安全性の対策を行うことができるという効果を奏する。
【００１９】
また、本体の内部に送風風路と分離した筒状のガイドを設け、前記ガイドの一方の開口は制御回路ケースと嵌合させて前記制御回路ケースの内部の静電霧化手段と連通させ、前記ガイドのもう一方の開口はグリルの吹出口の近傍まで配設した構成にしてもよい。
【００２０】
これにより、静電霧化手段で発生したイオンがグリルの吹出口に近いところに整流された状態で供給することとなるので、室内へ供給するイオンの濃度を高めることができ、イオン発生による効果を高めることができるという効果を奏する。
【００２１】
以下、本発明の実施の形態について図面を参照しながら説明する。
【００２２】
（実施の形態１）
図１〜１１に示すように、天井１００に本体１を埋め込み、天井１００からイオンを発生させるイオン発生装置に係るものであり、図１に示すように、本体１は円筒状を有しており、下方にはフランジ２を有し、フランジ２の下方には吸込み口３と吹出し口４を有するグリル５を設け、本体１の上方の天面６には、遠心送風手段であるターボファン７とターボファン７を回転させる電動機８を有し、電動機８を保持する天板９を天面６に設けたうえ、天板９の下方には電動機８を接続するターボファン７を組み込んで構成されている。
【００２３】
なお、電動機８は、直流（ＤＣ）でも交流（ＡＣ）でもどちらでも良い。
【００２４】
また、風路構造は、吸込み口３の全周から室内の空気を吸い込み、オリフィス１０にかけて筒状の経路１１ａを通ってターボファン７に吸い込まれ、ターボファン７の全周に吹出し、オリフィス部の外側にある筒状の経路１１ｂを通り、グリル５の吹出し口４の全周から室内へ排出される構造としている。
【００２５】
また、図２に示すように、本体１を天井１００へ固定するために、本体１の左右すなわち側面には取付金具１２を設け、取付金具１２は板状の固定金具１３と根底金具１４の二つの部品で構成され、根底金具１４は固定金具１３と接触する接触面を中心に天井１００面と根底金具１４が平行となるように回転でき、本体１の側面にあいた穴１５と固定金具１３にあいた長穴１６を貫通する金具専用ネジ１７の進む方向の先端には、固定ナット１８が設けられている。
【００２６】
金具専用ネジ１７を回転させることで、本体１の側面に設けた天井１００側を凹状としたコの字形状の壁１９によって、回転方向の動きを規制された固定ナット１８が上下に移動し、取付金具１２を下方に移動させて、フランジ２と取付金具１２とで天井１００を挟みこんで本体１を天井１００に固定する（図４参照）こととなる。
【００２７】
また、図３に示すように、フランジ２に複数個設けてある取付け穴２０にネジを差し込んで、天井１００に直接締め付けることで、天井１００に取付けることも可能である。
【００２８】
なお、取付け穴２０は、通常使用において、取付け穴２０からの風漏れを防ぐために穴を塞いだ構造としているが、薄肉で塞がっているため、取付け穴２０にネジを差し込む際、容易に貫通させて取付けることができる。
【００２９】
また、図４に示すように、天板９の上方に、電動機８およびイオンの発生を行う静電霧化手段２１ａおよび静電霧化手段２１ｂをコントロールする制御基板（図示せず）を内部に納める制御回路ケース２２を有し、制御回路ケースカバー２３によって制御回路ケース２２を覆う構成としている。
【００３０】
図５に示すように、制御回路ケース２２内に、主に電源制御などを行う制御基板２４ａと、静電霧化手段２１ａおよび静電霧化手段２１ｂを制御する制御基板２４ｂ、制御基板２４ｃを収めており、静電霧化手段２１ａおよび静電霧化手段２１ｂは静電霧化手段保持ケース２５ａおよび静電霧化手段保持ケース２５ｂに固定された状態で、制御回路ケース２２に固定される。
【００３１】
図６に示すように、静電霧化手段２１ａおよび静電霧化手段２１ｂの直下には例えば丸型のイオン吹出口２６ａおよびイオン吹出口２６ｂがあり、発生したイオンを吹き出す。
【００３２】
また、図６および図７に示すように、制御回路ケース２２のイオン吹出口２６ａおよびイオン吹出口２６ｂの周辺には、本体１との嵌合部２７ａおよび嵌合部２７ｂがあり、また、本体１側にも制御回路ケース２２と合わさる部分に嵌合部２８ａおよび嵌合部２８ｂを設け、制御回路ケース２２と制御回路ケースカバー２３が嵌合した状態で、本体１に固定され、全周に凹状を有した嵌合部２７ａと全周に突状を有した嵌合部２８ａ、および全周に凹状を有した嵌合部２７ｂと全周に突状を有した嵌合部２８ｂとがオーバーラップして合わさり、イオンが通過する経路が形成される。
【００３３】
図８に示すように、イオン吹出口２６ａおよびイオン吹出口２６ｂから吹き出されたイオンは本体１上部の嵌合部２７ａと嵌合部２８ａ、および嵌合部２７ｂと嵌合部２８ｂの間で本体１の周方向へ略直角に曲がり、そして、本体１内の外周部に設けた筒状のガイド２９ａおよびガイド２９ｂを通ってイオン排出口３０ａおよびイオン排出口３０ｂから排出される構造であり、ターボファン７により吹出された空気に混流して室内へと排出される。
【００３４】
なお、ガイド２９ａ、およびガイド２９ｂを、ターボファン７のブレード（図示せず）よりも下側でグリル５の吹出し口４より上側である吹出し口４近傍まで配設したことにより、風路を構成する経路１１ｂと静電霧化手段２１ａおよび静電霧化手段２１ｂにて発生したイオンが通過する経路３１とは分離される。
【００３５】
そのため、ターボファン７から吹出された空気がグリル５の吹出し口４から室内へ吹き出す際にイオン排出口３０ａとイオン排出口３０ｂを通るイオンを誘引して室内に吹き出すので、イオン排出口３０ａとイオン排出口３０ｂから空気が逆流することを防ぐ。
【００３６】
また、逆流が生じないため、埃や異物においてもガイド２９ａおよびガイド２９ｂを通って静電霧化手段２１ａおよび静電霧化手段２１ｂに侵入する恐れがない構造である。
【００３７】
このような構成とすることにより、ガイド２９ａ、およびガイド２９ｂを本体１内の外周部へ配設することができ、本体１内のターボファン７から吹き出される空気が通る風路空間を広くすることになるため、より圧力損失を低減させることができる。
【００３８】
さらに、イオン排出口３０ａおよびイオン排出口３０ｂを本体１の下面から見ておよそ対向上に配置することにより、グリル５から周方向に吹き出される室内へ供給する空気により均等に全周に拡散されて、つまり、室内の全周方向へイオンを供給することができる。
【００３９】
また、制御回路ケース２２と制御回路ケースカバー２３を難燃性樹脂で構成することにより、制御基板２４ａ、制御基板２４ｂ、制御基板２４ｃなどの充電部からの発火が生じた場合でも延焼を防ぐことができる。
【００４０】
なお、静電霧化手段２１ａおよび静電霧化手段２１ｂも同様に制御回路ケース２２と制御回路ケースカバー２３にて覆う構造としたため、延焼防止の対策を行う空間を限定することができ、合理的な安全性の対策を行うことができる。
【００４１】
また、図９に示すように、オリフィス１０は、本体１の内部に沿って矢印方向３２（すなわち本体１の下面から見て右回り）に回転させて取付け、本体１内部の外周側面に設けた回転規制リブ３３により位置決めされ、かつ、オリフィス固定ネジ３４により正規の位置に固定される構造である。
【００４２】
また、オリフィス１０には、スイッチ制御回路３５（図１参照）を有しており、本体１の動作または停止を切り替えることのできる運転切替スイッチ３６を設け、かつ、本体１動作時に点灯する運転動作ランプ３７（図１参照）を備え、さらに、運転動作ランプ３７の光強度を調節する調光スイッチ３８を設けており、これらは保護カバー３９により覆われ、オリフィス固定ネジ３４により正規の位置に固定される構造としている。
【００４３】
さらに、保護カバー３９の上方には侵入防止リブ４０を有しており、例えば運転切替スイッチ３６または調光スイッチ３８を指で操作する際、誤ってターボファン７へ指が接触することを防ぐことができ、かつ、吸込み口３から侵入した埃や異物が、運転切替スイッチ３６または調光スイッチ３８の隙間からスイッチ制御回路３５（図１参照）へ侵入することを防ぐ構造である。
【００４４】
また、図１に示すように、保護カバー３９の下方には運転動作ランプ３７の光が通る光筒４１を設け、グリル５へ運転動作ランプ３７の光を透過させ、グリル５の表面で光を浮び上がらせている。
【００４５】
加えて、運転動作ランプ３７の光が通過するグリル５の表面に、一例として丸型の凹み４２を備えた構造としたことで、運転動作ランプ３７上のグリル５の表面が薄くなるため、運転動作ランプ３７の光の透過性が増し、より鮮明にランプが浮かび上がる仕様となっており、明るいと感じるユーザーに対しては、調光スイッチ３８を用いて光の強度を調整することができる。
【００４６】
上記の構成において、図１０に示すように、制御回路ケース２２および制御回路ケースカバー２３はそれぞれ長方形状であり、かつ、円筒状である本体１の直径値よりも小さい大きさとし、また、長手方向が本体１の中心から片側に寄せて配置する構成としているため、本体１を施工する際に天井１００の丸穴に斜めに挿入すれば、制御回路ケース２２及び制御回路ケースカバー２３を容易に挿入することができる。
【００４７】
また、図１１に示すように、制御回路ケース２２に制御基板と電源線４３を接続する速結端子４４を設け、かつ、速結端子４４には電源線４３を着脱するためのリリースボタン４５を有しており、リリースボタン４５を下方に向けて設けたという構成をしている。
【００４８】
これにより、例えば人差指で下方の空間からリリースボタン４５を押すことになるので、速結端子４４の挿入穴４６へ電源線４３を挿入または抜去する際の作業性を向上させることができる。
【００４９】
また、速結端子４４を下方斜めに向けて傾けた、という構成にしてもよい。
【００５０】
これにより、天井裏で発生した漏水、結露水が電源線４３を伝わってきた際、漏水、結露水が速結端子４４と同様に下方斜めに傾いた電源線４３を伝って、水が下方斜めに向かって速結端子４４から離れて電源線４３に沿って流れることになるため、挿入穴４６へ水は浸入せずトラッキング現象を防ぐことができ、安全性を向上することができる。
【００５１】
また、速結端子４４の挿入穴４６の上方にある制御回路ケースカバー２３にひさし４７を設けて覆う構成にしてもよい。
【００５２】
これにより、天井裏で発生した漏水、結露水が制御回路ケースカバー２３に落ちた際、漏水、結露水がひさし４７の上から前方に流れ落ちるため、挿入穴４６に流れ込むことがなく、また、速結端子４４がひさし４７により押し下げられ、電源線４３の最下部が挿入穴４６より低くなり、漏水、結露水が電源線４３を伝ってきた際、水が下方斜めに向かって速結端子４４から離れて電源線４３に沿って流れることとなるため、挿入穴４６に水は浸入せず、トラッキング現象を防ぐことができ安全性を向上することができる。
【００５３】
また、制御回路ケースカバー２３にリブ４８を設けた構成にすることにより、速結端子４４がリブ４８に引っかかることとなるので、電源線４３を速結端子４４に挿入した状態で引っ張られた場合でも、制御回路ケース２２内から速結端子４４が抜けることを防止することができる。
【産業上の利用可能性】
【００５４】
本発明にかかるイオン発生装置は、天井に取付けて広範囲にイオン供給を可能とするものであるので、イオンによってもたらすことができる効果や効能を居住空間に供給することに有用であり、また、クローゼットやバス、トイレ、または倉庫などの非居住空間においても有用である。
【符号の説明】
【００５５】
１      本体
２      フランジ
３      吸込み口
４      吹出し口
５      グリル
６      天面
７      ターボファン
８      電動機
９      天板
１０    オリフィス
１１ａ  経路
１１ｂ  経路
１２    取付金具
１３    固定金具
１４    根底金具
１５    穴
１６    長穴
１７    金具専用ネジ
１８    固定ナット
１９    壁
２０    取付け穴
２１ａ  静電霧化手段
２１ｂ  静電霧化手段
２２    制御回路ケース
２３    制御回路ケースカバー
２４ａ  制御基板
２４ｂ  制御基板
２４ｃ  制御基板
２５ａ  静電霧化手段保持ケース
２５ｂ  静電霧化手段保持ケース
２６ａ  イオン吹出口
２６ｂ  イオン吹出口
２７ａ  嵌合部
２７ｂ  嵌合部
２８ａ  嵌合部
２８ｂ  嵌合部
２９ａ  ガイド
２９ｂ  ガイド
３０ａ  イオン排出口
３０ｂ  イオン排出口
３１    経路
３２    矢印方向
３３    回転規制リブ
３４    オリフィス固定ネジ
３５    スイッチ制御回路
３６    運転切替スイッチ
３７    運転動作ランプ
３８    調光スイッチ
３９    保護カバー
４０    侵入防止リブ
４１    光筒
４２    凹み
４３    電源線
４４    速結端子
４５    リリースボタン
４６    挿入穴
４７    ひさし
４８    リブ
１００  天井
【図１】
2014175289.tif 000003
【図２】
2014175289.tif 000004
【図３】
2014175289.tif 000005
【図４】
2014175289.tif 000006
【図５】
2014175289.tif 000007
【図６】
2014175289.tif 000008
【図７】
2014175289.tif 000009
【図８】
2014175289.tif 000010
【図９】
2014175289.tif 000011
【図１０】
2014175289.tif 000012
【図１１】
2014175289.tif 000013
【図１２】
2014175289.tif 000014